(57)【要約】【課題】輝度向上を図った画像光を投写するプロジェクタを提供する。【解決手段】プロジェクタ１は、光源を有する複数の光源装置３１、複数の光源装置３１から射出された光束を画像情報に応じて変調して画像光を形成し、画像光を投写する画像投写部３３、光源装置３１に電力を供給する電源装置４、および光源装置３１と画像投写部３３と電源装置４とを収納する外装筐体２を備える。複数の光源装置３１は、同一形状を有し、外装筐体２の内部には、複数の光源装置３１をそれぞれ収納する光源収納部３４１，３４２が設けられ、外装筐体２には、外装筐体２の側方から光源装置３１を着脱するための開口部２１２，２１３が設けられ、複数の光源装置３１は、光源収納部３４１，３４２それぞれに対し、上側となる側を同一にして開口部２１２，２１３から挿着される。【選択図】図３
2010019954.tif 000002
【特許請求の範囲】
【請求項１】
光源を有する複数の光源装置、前記複数の光源装置から射出された光束を画像情報に応じて変調して画像光を形成し、前記画像光を投写する画像投写部、前記光源装置に電力を供給する電源装置、および前記光源装置と前記画像投写部と前記電源装置とを収納する外装筐体を備えるプロジェクタであって、
前記複数の光源装置は、同一形状を有し、
前記外装筐体の内部には、前記複数の光源装置をそれぞれ収納する複数の光源収納部が設けられ、
前記外装筐体には、前記外装筐体の側方から前記光源装置を着脱するための開口部が設けられ、
前記複数の光源装置は、上側となる側を同一にして、前記開口部から前記複数の光源収納部に挿着されることを特徴とするプロジェクタ。
【請求項２】
請求項１に記載のプロジェクタであって、
前記複数の光源装置は、前記光束が射出される射出側が対向するように前記光源収納部に収納され、
前記開口部は、前記光源装置が射出する前記光束の射出方向に沿った前記外装筐体の側方側の面に設けられていることを特徴とするプロジェクタ。
【請求項３】
請求項１または請求項２に記載のプロジェクタであって、
前記電源装置は、前記光源装置に電力を供給するための複数の出力端子を備え、
前記複数の出力端子は、前記複数の光源収納部にそれぞれ配置され、
前記光源装置は、前記複数の光源収納部に対して、互いに異なる向きで挿着されることによって、前記出力端子にそれぞれ接続される複数の入力端子を備えることを特徴とするプロジェクタ。
【請求項４】
請求項３に記載のプロジェクタであって、
前記入力端子の被装が可能なカバーを有していることを特徴とするプロジェクタ。
【請求項５】
請求項４に記載のプロジェクタであって、
前記カバーは、前記光源装置が前記光源収納部に挿着される際に、前記出力端子に接続される前記入力端子を露出させるように移動し、前記出力端子に接続されない入力端子を被装することを特徴とするプロジェクタ。
【請求項６】
請求項１または請求項２に記載のプロジェクタであって、
前記電源装置は、前記光源装置に電力を供給するための複数の出力端子を備え、
前記複数の出力端子は、前記複数の光源収納部にそれぞれ配置され、
前記光源装置は、前記出力端子にそれぞれ接続されるように移動可能な入力端子を備えることを特徴とするプロジェクタ。
【請求項７】
請求項１または請求項２に記載のプロジェクタであって、
前記開口部を閉塞する蓋部材を備え、
前記電源装置は、前記光源装置に電力を供給するための複数の出力端子を備え、
前記光源装置は、前記光源収納部に挿着される際に、前記出力端子に接続される入力端子を備え、
前記出力端子は、前記複数の光源収納部に収納される前記光源装置の入力端子の位置に対応して、前記光源収納部および前記蓋部材に配置され、前記蓋部材に配置される出力端子は、前記蓋部材が前記開口部を閉塞した際に、前記入力端子に接続されることを特徴とするプロジェクタ。
【請求項８】
請求項１〜請求項７のいずれか一項に記載のプロジェクタであって、
前記光源装置には、前記光源装置がそれぞれの前記光源収納部に収納された際に、前記開口部からそれぞれ露出する把持可能な突起部が設けられていることを特徴とするプロジェクタ。
【発明の詳細な説明】
【技術分野】
【０００１】
本発明は、画像光を投写するプロジェクタに関する。
【背景技術】
【０００２】
プロジェクタは、光源からの光束を画像情報に応じて変調して画像光を形成し、その画像光をスクリーン等に投写する光学機器であり、企業内でのプレゼンテーションや、教室での授業等の種々の用途に用いられている。プロジェクタは、広い会議室や教室での視認性を上げるために高輝度化が要求されており、光源として放電型、例えば超高圧水銀灯からなる光源（ランプ）を複数用いたプロジェクタが提案されている（例えば、特許文献１参照）。また、放電型の光源は、効率良く光束を射出するために、製造工程で光源に備えられた発光管内の電極位置が適正に調整されている。
【０００３】
【特許文献１】特開２００４−６２１３７号公報
【発明の開示】
【発明が解決しようとする課題】
【０００４】
しかしながら、特許文献１に記載の技術は、具体的には記載されていないが、複数の光源装置（光源）は、上下の向きが互いに反転した姿勢で収納されることも考えられる。そして、その光源装置のなかには、光源が製造工程で調整された上下の向きに対して反転された姿勢となる光源装置もあると考えられる。光源が反転されると発光管内の電極間に生じるアークは、重力や封入ガスの対流等により、製造工程で調整されていた位置に対してずれることが考えられる。この位置がずれると効率良く放電がなされないため、輝度が低下する恐れがある。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクタは、光源を有する複数の光源装置、前記複数の光源装置から射出された光束を画像情報に応じて変調して画像光を形成し、前記画像光を投写する画像投写部、前記光源装置に電力を供給する電源装置、および前記光源装置と前記画像投写部と前記電源装置とを収納する外装筐体を備えるプロジェクタであって、前記複数の光源装置は、同一形状を有し、前記外装筐体の内部には、前記複数の光源装置をそれぞれ収納する複数の光源収納部が設けられ、前記外装筐体には、前記外装筐体の側方から前記光源装置を着脱するための開口部が設けられ、前記複数の光源装置は、上側となる側を同一にして、前記開口部から前記複数の光源収納部に挿着されることを特徴とする。
ここで側方とは、プロジェクタを設置した際の略水平方向のことをいい、画像光が投写される方向を前方とした際の後方や左右の方向のことをいう。
【０００７】
このプロジェクタによれば、光源装置は、上側となる側を同一にしてそれぞれの光源収納部に収納されるので、放電型の光源を用い、その光源を製造する際の調整工程で行われた光源の上下の向きに対応して光源を光源装置に組み込むことで、光源装置は、光源の調整工程と同じ上下の向きが確保されて外装筐体に収納される。これによって、光源は、重力や封入ガスの対流等による電極間に生じるアークの位置ずれが抑制され、効率良く光束を射出することが可能となる。したがって、プロジェクタは、輝度向上を図った画像光を投写することが可能となる。
【０００８】
［適用例２］上記適用例に係るプロジェクタにおいて、前記複数の光源装置は、前記光束が射出される射出側が対向するように前記光源収納部に収納され、前記開口部は、前記光源装置が射出する前記光束の射出方向に沿った前記外装筐体の側方側の面に設けられていることが好ましい。
【０００９】
このプロジェクタによれば、複数の光源装置は、射出側が対向するように光源収納部に収納される。そして、開口部は、光源装置が射出する光束の射出方向（以下「光束射出方向」という）に沿った外装筐体の側方側の面に設けられている。よって、開口部は、画像光が投写される反対側や反対側に隣接する一方の側面側に設けられるので、ユーザーは、視線を様々に移動させることなく効率良く光源装置の交換を行うことが可能となる。また、交換作業のスペースを広く必要としないので、プロジェクタは、設置される制約が緩和される。
また、外装筐体の開口部以外の他の側方側に、開口部を形成するための割線や凹凸形状を設けることが抑制されるので、外観デザイン性の向上を図ることが可能となる。
【００１０】
［適用例３］上記適用例に係るプロジェクタにおいて、前記電源装置は、前記光源装置に電力を供給するための複数の出力端子を備え、前記複数の出力端子は、前記複数の光源収納部にそれぞれ配置され、前記光源装置は、前記複数の光源収納部に対して、互いに異なる向きで挿着されることによって、前記出力端子にそれぞれ接続される複数の入力端子を備えることが好ましい。
【００１１】
このプロジェクタによれば、光源収納部には、それぞれ出力端子が配置され、光源装置は、複数の入力端子を備えている。そして、複数の入力端子は、光源装置が異なる向きで光源収納部に挿着されることによって、それぞれ出力端子に接続される。これによって、光源装置は、上側となる側を同一にして、向きが変更されて、例えば前後が反転されてそれぞれの光源収納部に挿着されることで、入力端子がそれぞれの光源収納部に配置された出力端子に接続されるように構成することが可能となる。よって、ユーザーは、光源装置の向きを変えるだけで、特定な操作をすることなくそれぞれの光源収納部に挿着できるので、容易に光源装置を交換することが可能となる。
【００１２】
［適用例４］上記適用例に係るプロジェクタにおいて、前記入力端子の被装が可能なカバーを有していることが好ましい。
【００１３】
このプロジェクタによれば、光源装置が光源収納部に収納された際に、出力端子に接続されていない入力端子をカバーによって被装することができる。これによって、入力端子の汚れや、長期間使用における埃の積層によるショート等を防止することが可能となる。
【００１４】
［適用例５］上記適用例に係るプロジェクタにおいて、前記カバーは、前記光源装置が前記光源収納部に挿着される際に、前記出力端子に接続される前記入力端子を露出させるように移動し、前記出力端子に接続されない入力端子を被装することが好ましい。
【００１５】
このプロジェクタによれば、ユーザーが光源装置を光源収納部に挿着することで、カバーは、出力端子に接続される入力端子を露出させ、出力端子に接続されない入力端子を被装する。これによって、ユーザーは、カバーを入力端子に着脱する操作が不要となり、利便性の向上を図って入力端子の汚れや、長期間使用における埃の積層によるショート等を防止することが可能となる。
【００１６】
［適用例６］上記適用例に係るプロジェクタにおいて、前記電源装置は、前記光源装置に電力を供給するための複数の出力端子を備え、前記複数の出力端子は、前記複数の光源収納部にそれぞれ配置され、前記光源装置は、前記出力端子にそれぞれ接続されるように移動可能な入力端子を備えることが好ましい。
【００１７】
このプロジェクタによれば、入力端子は、複数の光源収納部に配置されたそれぞれの出力端子に接続されるように移動可能なので、１つの入力端子で構成することができる。これによって、入力端子は、少ない部材で構成することが可能となり、光源装置の軽量化や低コスト化を図ることが可能となる。
【００１８】
［適用例７］上記適用例に係るプロジェクタにおいて、前記開口部を閉塞する蓋部材を備え、前記電源装置は、前記光源装置に電力を供給するための複数の出力端子を備え、前記光源装置は、前記光源収納部に挿着される際に、前記出力端子に接続される入力端子を備え、前記出力端子は、前記複数の光源収納部に収納される前記光源装置の入力端子の位置に対応して、前記光源収納部および前記蓋部材に配置され、前記蓋部材に配置される出力端子は、前記蓋部材が前記開口部を閉塞した際に、前記入力端子に接続されることが好ましい。
【００１９】
このプロジェクタによれば、出力端子は、それぞれの光源収納部に収納される光源装置の入力端子の位置に対応して光源収納部および蓋部材に配置されている。これによって、入力端子を１つで構成し、複数の出力端子を、光源装置が挿着された際に入力端子に接続されように光源収納部に配置される出力端子と、光源収納部に配置されずに蓋部材に配置される出力端子とに構成することが可能となる。
したがって、入力端子は、１つで構成され、また、移動させたりする機構が不要なので、簡単な構成で形成されることができ、さらに光源装置の軽量化や低コスト化を図ることが可能となる。また、出力端子が配置されない光源収納部は、出力端子を配置するためのスペースを他の機能のためのスペース、例えば、光源装置を冷却するための空気流通路のスペース等に使用することができるので、光源装置を効率的に冷却すること等が可能となる。
【００２０】
［適用例８］上記適用例に係るプロジェクタにおいて、前記光源装置には、前記光源装置がそれぞれの前記光源収納部に収納された際に、前記開口部からそれぞれ露出する把持可能な突起部が設けられていることが好ましい。
【００２１】
このプロジェクタによれば、光源装置には、それぞれの光源収納部に収納された際に開口部から露出する突起部が設けられている。突起部は、把持可能になっているので、ユーザーは、光源装置を着脱し易くなり、光源装置交換の操作性向上を図ることが可能となる。
【発明を実施するための最良の形態】
【００２２】
（第１実施形態）
以下、第１実施形態に係るプロジェクタについて、図面を参照して説明する。
本実施形態のプロジェクタは、光源から射出された光束を画像情報に応じて変調して画像光を形成し、その画像光をスクリーン等に拡大投写するものであり、床や机上に据置く据え置き姿勢、および天井に吊り下げる天吊り姿勢において上側となる側が同一になるように構成されている。
図１および図２は、本実施形態のプロジェクタの外観を示す図であり、図１は、前方上側から見た斜視図、図２は、後方上側から見た斜視図である。なお、以下では、説明の便宜上、画像光が投写される方向を「前」（＋Ｙ方向）、図２における図面視において、右を「右」（＋Ｘ方向）、上を「上」（＋Ｚ方向）として記載する。
【００２３】
図１および図２に示すように、プロジェクタ１は、本体が外装筐体２で囲まれた構成になっている。
外装筐体２は、合成樹脂製であり、上面２１Ａ（＋Ｚ方向）、前面２１Ｂ（＋Ｙ方向）、後面２１Ｃ（−Ｙ方向）、側面２１Ｄ（＋Ｘ方向）、側面２１Ｅ（−Ｘ方向）を構成するアッパーケース２１と、下面（−Ｚ方向）を構成するロアーケース２２とを備えており、これらは、互いにネジ等により固定されている。
【００２４】
アッパーケース２１の上面２１Ａの後方には、操作部２３が設けられている。操作部２３は、電源のオン／オフを切り換える電源キー、各種設定を行うためのメニュー画像の表示／非表示を切り換えるメニューキー、入力ソースを切り換えるソース切換えキー等、各種指示を行うための複数のキー等を備えている。電源キーがオンされると光源に電力が供給され、光源は、光束を射出する。
【００２５】
アッパーケース２１の前面２１Ｂには、略円形状の開口部２１１が形成されており、この開口部２１１の内側には、投写光学装置としての投写レンズ３３５が配置されている。そして、投写レンズ３３５から射出された画像光は、この開口部２１１を通過して前方（＋Ｙ方向）に投写される。
【００２６】
アッパーケース２１の後面２１Ｃには、右側（＋Ｘ方向）に矩形状の開口部２１２が形成され、左側（−Ｘ方向）に矩形状の開口部２１３が形成されている。この開口部２１２，２１３の内側には、後述する光源装置３１（図３参照）が配置される。この開口部２１２，２１３は、外装筐体２の側方、具体的には、外装筐体２の後方から光源装置３１を着脱するための開口部である。また、この開口部２１２，２１３は、着脱可能な蓋部材２４，２５によってそれぞれ閉塞されている。
【００２７】
図３は、プロジェクタ１の内部構成を示す模式図である。
図３に示すように、プロジェクタ１は、外装筐体２の内部に、光学ユニット３、制御部（図示せず）、光源３１１や制御部等の電子部品に電力を供給する電源装置４等が配置されている。なお、具体的な図示は省略したが、外装筐体２内において、光学ユニット３、電源装置４以外の空間には、プロジェクタ１内部を冷却する冷却ファン等が配置されるものとする。
【００２８】
光学ユニット３は、制御部による制御の下、光源３１１から射出された光束を光学的に処理し、画像情報に応じた画像光を形成して投写する。
図３に示すように、光学ユニット３は、２つの光源装置３１、反射体３２、画像投写部３３および光学部品用筐体３４等を備える。
【００２９】
２つの光源装置３１は、同一形状を有して構成され、それぞれの光源装置３１は、超高圧水銀ランプで構成される光源３１１、リフレクタ３１２、および入力端子３１３等を備える。
図３に示すように、２つの光源装置３１は、光束が射出される射出側が対向し、光束射出方向、つまり光軸Ｌ１，Ｌ２が左右方向（±Ｘ方向）に沿うように外装筐体２の後部（−Ｙ方向）に配置されている。光源装置３１は、光源３１１から射出された光束をリフレクタ３１２によって射出方向を揃え、反射体３２に向けて射出する。なお、光源３１１としては、超高圧水銀ランプに限らず、メタルハライドランプ等の光源であってもよい。
入力端子３１３は、後述する電源装置４の出力端子４１に接続されており、光源装置３１は、この入力端子３１３を介して電源装置４から電力が供給される。なお、光源装置３１については、後で詳細に説明する。
【００３０】
反射体３２は、三角柱状の２つの面に反射ミラーが設けられ、２つの光源装置３１の間に配置されている。そして、反射体３２は、それぞれの光源装置３１から射出された光束を前方（＋Ｙ方向）に反射する。
【００３１】
画像投写部３３は、照明光学装置３３１、色分離光学装置３３２、リレー光学装置３３３、電気光学装置３３４、および投写レンズ３３５を備える。
照明光学装置３３１は、第１レンズアレイ３３１１、第２レンズアレイ３３１２、偏光変換素子３３１３、重畳レンズ３３１４を備え、反射体３２で反射された光束を後述する液晶パネル３３４２の画像形成領域を略均一に照明するように光学的に処理する。
【００３２】
色分離光学装置３３２は、第１のダイクロイックミラー３３２１、第２のダイクロイックミラー３３２２、および反射ミラー３３２３を備え、照明光学装置３３１から射出された光束を赤色光（以下「Ｒ光」という）、緑色光（以下「Ｇ光」という）、青色光（以下「Ｂ光」という）の３色の色光に分離する機能を有する。
【００３３】
リレー光学装置３３３は、入射側レンズ３３３１、リレーレンズ３３３３、および反射ミラー３３３２，３３３４を備え、第２のダイクロイックミラー３３２２を透過したＲ光をＲ光用の液晶パネル３３４２Ｒまで導く機能を有する。なお、光学ユニット３は、リレー光学装置３３３がＲ光を導く構成としているが、これに限らず、例えば、Ｂ光を導く構成としてもよい。
【００３４】
電気光学装置３３４は、入射側偏光板３３４１、光変調装置としての液晶パネル３３４２、射出側偏光板３３４３、色合成光学装置としてのクロスダイクロイックプリズム３３４４を備え、色分離光学装置３３２から射出された各色光を画像情報に応じて変調して画像光を形成する。
投写レンズ３３５は、複数のレンズを組み合わせた組レンズとして構成され、電気光学装置３３４から射出された画像光をスクリーン（図示せず）等に拡大投写する。
【００３５】
光学部品用筐体３４は、高耐熱材料で形成されており、光源装置３１、反射体３２および画像投写部３３等の光学部品を所定位置に配置する。光学部品用筐体３４には、２つの光源装置３１をそれぞれ収納する光源収納部３４１，３４２が設けられている。
【００３６】
制御部は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、画像の投写に関わる制御等を行う。
【００３７】
電源装置４は、詳しい図示を省略するが、電源ブロックと２つの光源装置３１をそれぞれ駆動する２つの光源駆動ブロックとを備え、制御部および光源３１１等の電子部品に電力を供給する。なお、光源駆動ブロックは１つで２つの光源装置３１を駆動させるように構成しても良い。
図３に示すように、電源装置４は、光源装置３１に電力を供給するための２つの出力端子４１を備えている。出力端子４１は、凹形状の接続部であるリセプタクルを２芯備えるコネクタとして構成され、ケーブルＣＡを介して光源収納部３４１，３４２にそれぞれ配置されている。そして、出力端子４１は、光源装置３１が挿着された際に入力端子３１３に接続されるように光学部品用筐体３４に位置決め固定されている。
【００３８】
ここで、光源装置３１について詳細に説明する。
図４、図５は、光源装置３１を示す断面図であり、図４は、射出される光束に略平行な方向から見た図、図５は、射出される光束に略直交する方向から見た図である。
図４、図５に示すように、光源装置３１は、光源３１１、リフレクタ３１２および入力端子３１３に加えて、カバー３１４および光源用筐体３１５を有して構成される。
【００３９】
図４に示すように、光源３１１は、発光管３１１１、電極３１１２，３１１３、金属箔３１１４，３１１５およびリード線３１１６，３１１７を有して構成される。
発光管３１１１は、耐熱ガラスで形成されており、中央に球状の発光部を有し、その発光部の両側には、連続して円柱状に形成される１対の封止部が設けられている。発光部内には、水銀、希ガス、等が封入されている。
【００４０】
電極３１１２，３１１３は、互いの先端が発光部内に近接対向させて配置され、基端部がそれぞれ金属箔３１１４，３１１５に接続されて封止部にそれぞれ支持されている。
光源３１１は、この電極３１１２，３１１３に電力が供給されることによって、近接対向している電極間で放電が発生して発光する。そして、発光部内には、発光に伴う発熱によって熱対流が生じ、電極３１１２と電極３１１３との間に生じるアークは、鉛直方向上側に湾曲し、アークの中心位置が、電極間の中心位置よりも上側にずれる。
電極３１１２，３１１３は、製造の調整工程において、このアークが適正な位置になるように調整されてリフレクタ３１２に取付けられており、光源装置３１が効率良く光束を射出するようになっている。
リード線３１１６，３１１７は、一方の端部が金属箔３１１４，３１１５の端部にそれぞれ接続され、他方の端部はそれぞれ外側に延出している。
【００４１】
リフレクタ３１２は、放物面鏡を有しており、光源３１１から射出された放射状の光束を反射して略平行の光束として射出する。また、リフレクタ３１２としては、放物面鏡に限らず、楕円面鏡からなるリフレクタ３１２の射出面に平行化凹レンズを配置した構成を採用してもよい。
【００４２】
光源用筐体３１５は、略直方体の箱状に形成されており、対向する側面に開口部が形成されている。光源３１１およびリフレクタ３１２は、その一方の開口部から光束を射出するように、前述した調整工程における光源３１１の上側となる側が、光源装置３１の上側となるように光源用筐体３１５に配置されている。
光源用筐体３１５の残りの２つの側面には、図５に示すように、外側に向かってそれぞれ突出する把持可能な突起部（把持部３１５１）が形成されている。把持部３１５１は、手を掛けやすいように形成されており、光源装置３１を光源収納部３４１，３４２に対して着脱する操作がやり易くなっている。
【００４３】
入力端子３１３は、図４、図５に示すように、第１入力端子３１３１および第２入力端子３１３２を有し、光源用筐体３１５の上部に配置されている。
第１入力端子３１３１および第２入力端子３１３２は、ピン状の接続部であるプラグＣＰを２芯備えるコネクタとしてそれぞれ構成されている。２芯のプラグＣＰは、図示しないケーブルを介してリード線３１１６，３１１７にそれぞれ接続されており、合成樹脂で形成された略直方体の箱状部材に囲まれ、端部が箱状部材の一方の側面に設けられた開口部から露出している。
【００４４】
第１入力端子３１３１および第２入力端子３１３２は、互いが背中合わせとなり、プラグＣＰの端部が露出している接続側３１３１Ａ，３１３２Ａが光束射出方向に対して略直交する方向を向いている。第１入力端子３１３１および第２入力端子３１３２は、この接続側３１３１Ａ，３１３２Ａから出力端子４１が挿入されと、プラグＣＰが出力端子４１のリセプタクルと嵌合し、出力端子４１に接続される。
【００４５】
カバー３１４は、図５に示すように、同一形状の第１カバー３１４１、第２カバー３１４２を有し、第１入力端子３１３１および第２入力端子３１３２の上方にそれぞれ配置されている。第１カバー３１４１および第２カバー３１４２は、第１入力端子３１３１および第２入力端子３１３２それぞれのプラグＣＰの露出、被装を行うために上下方向に移動できるように構成されている。
具体的に、第１カバー３１４１は、合成樹脂製であり、断面Ｌ字状に形成され、Ｌ字状の一方の片３１４１Ａが第１入力端子３１３１の接続側３１３１Ａを被装するように配置され、図示しない支持部に支持され、図示しないバネによって第１入力端子３１３１側に付勢されている。片３１４１Ａの端部は、先端が細くなるように斜面３１４１Ｂが形成されている。
【００４６】
第２カバー３１４２は、第１カバー３１４１と同様に構成され、Ｌ字状の一方の片３１４２Ａが第２入力端子３１３２の接続側３１３２Ａを被装するように配置され、片３１４２Ａの端部には、斜面３１４２Ｂが形成されている。
第１カバー３１４１および第２カバー３１４２は、バネによる付勢力に抗する力が加わると、上方に移動し、第１入力端子３１３１、第２入力端子３１３２のプラグＣＰをそれぞれ露出するように移動する。
【００４７】
次に、光源装置３１を光源収納部３４１，３４２に収納する際の動作について説明する。
図６は、プロジェクタ１の後部を示す断面図であり、光源収納部３４１に収納される光源装置３１を側方から見た断面図である。
図６に示すように、第１カバー３１４１および第２カバー３１４２は、光源装置３１が光源収納部３４１に収納されていない状態では、いずれも第１入力端子３１３１および第２入力端子３１３２を被装した状態となっている。
【００４８】
光源装置３１が光源収納部３４１に収納される場合には、光源装置３１は、図３、図６に示すように、第１入力端子３１３１の接続側３１３１Ａが前側（＋Ｙ方向）、光束の射出側が左方向（−Ｘ方向）を向く姿勢で、開口部２１２から前方に挿入される。そして、第１カバー３１４１の斜面３１４１Ｂが出力端子４１の縁部と当接すると、第１カバー３１４１には、上方の力が加わり、第１カバー３１４１は、徐々に上方に移動していく。そして、プラグＣＰが次第に露出され、第１入力端子３１３１は、光源収納部３４１に配置されている出力端子４１に徐々に挿入されていく。
【００４９】
光源装置３１が光源収納部３４１に収納された状態では、第１入力端子３１３１が出力端子４１と嵌合（図６において二点鎖線で示す）、つまり、プラグＣＰとリセプタクルとがそれぞれ嵌合し、第１入力端子３１３１と出力端子４１とが接続された状態となる。そして、光源収納部３４１に収納された光源装置３１には、電源装置４からの電力が供給可能な状態となる。この状態において、第２カバー３１４２は、第２入力端子３１３２を被装した状態を維持している。
【００５０】
光源収納部３４１に収納された光源装置３１は、開口部２１２から露出している把持部３１５１に手を掛けて開口部２１２の側方に引き出すことによって、プラグＣＰとリセプタクルとの嵌合が解除されて、光源収納部３４１から取り出すことができる。この状態において、第１カバー３１４１は、再び移動して第１入力端子３１３１を被装する。
【００５１】
一方、光源装置３１が光源収納部３４２に収納される際には、図示は省略するが、光源収納部３４１に収納される場合に対して、光源装置３１は、上側となる側を同一にして前後が反転され、つまり、第２入力端子３１３２の接続側３１３２Ａが前側（＋Ｙ方向）、光束の射出側が右方向（＋Ｘ方向）を向く姿勢で、開口部２１３（図３参照）から光源収納部３４２に挿着される。そうすると同様に、第２入力端子３１３２と出力端子４１とが接続された状態となり、光源装置３１には、電源装置４からの電力が供給可能な状態となる。この状態において、第１カバー３１４１は、第１入力端子３１３１を被装した状態を維持している。
【００５２】
光源収納部３４２に収納された光源装置３１は、開口部２１３から露出している把持部３１５１に手を掛けて開口部２１３の側方に引き出すことによって、プラグＣＰとリセプタクルとの嵌合が解除されて、光源収納部３４２から取り出すことができる。この状態において、第２カバー３１４２は、再び移動して第２入力端子３１３２を被装する。
【００５３】
このように、開口部２１２，２１３は、光源装置３１が射出する光束の射出方向に沿った外装筐体２の側方側の面（後面２１Ｃ）に設けられている。２つの光源装置３１は、上側となる側を同一にして互いに前後が反転され、開口部２１２，２１３から光源収納部３４１，３４２にそれぞれ挿着される。そして、入力端子３１３１，３１３２は、光源装置３１が光源収納部３４１，３４２に対して、互いに異なる向きで挿着されることによって、光源収納部３４１，３４２に配置されている出力端子４１にそれぞれ接続される。また、カバー３１４は、光源装置３１が光源収納部３４１，３４２に挿着される際に、出力端子４１にそれぞれ接続される入力端子３１３が露出するように移動し、出力端子４１に接続されない入力端子３１３を被装する。
【００５４】
以上説明したように、本実施形態のプロジェクタ１によれば、以下の効果を得ることができる。
（１）光源３１１は、調整工程と同じ上下の向きが確保されて光源収納部３４１，３４２に収納されるので、重力や封入ガスの対流等によるアークの位置ずれが抑制され、光源装置３１は、効率良く光束を射出することが可能となる。したがって、プロジェクタ１は、輝度向上を図った画像光を投写することが可能となる。
【００５５】
（２）２つの光源装置３１は同一形状なので、光源収納部３４１，３４２それぞれに対応して専用に形成する必要がなく、部品点数を減らすことによる低コスト化や、アフターサービス対応における部品管理の簡素化が可能となる。
【００５６】
（３）２つの光源装置３１は、外装筐体２の後方から着脱されるので、視線を様々に移動させることなく効率良く交換を行える。また、後方以外には、交換作業のスペースを広く必要としないので、プロジェクタ１を設置する制約を緩和することが可能となる。
【００５７】
（４）開口部２１２，２１３は、後面２１Ｃのみに設けられ、他の側面２１Ｄ，２１Ｅに開口部２１２，２１３を形成するための割線や凹凸形状を設ける必要がないので、外観デザイン性の向上を図ることが可能となる。また、開口部２１２，２１３は、画像光が投写される反対側に設けられているので、プロジェクタ１の後部をユーザーから見えにくい状態に設置することで、さらに見映えを向上させることが可能となる。
【００５８】
（５）光源装置３１は、第１入力端子３１３１および第２入力端子３１３２を備えているので、ユーザーは、光源装置３１の向きを変えるだけで、特定な操作をすることなく光源収納部３４１，３４２に挿着でき、容易に光源装置３１を交換することが可能となる。
【００５９】
（６）光源装置３１は、カバー３１４を備えているので、接続されていない第１入力端子３１３１および第２入力端子３１３２の汚れや、長期間使用における埃の積層によるショート等を防止することが可能となる。また、カバー３１４は、光源装置３１が光源収納部３４１，３４２に挿着されることで、出力端子４１に接続される入力端子３１３が露出するように移動し、出力端子４１に接続されない入力端子３１３を被装するので、ユーザーは、カバーを入力端子３１３に着脱する操作が不要となり、利便性の向上が図れる。
【００６０】
（７）光源装置３１には、把持部３１５１が設けられているので、ユーザーは、光源装置３１を着脱し易くなり、光源装置３１交換の操作性向上を図れる。
【００６１】
（第２実施形態）
次に、第２実施形態に係るプロジェクタ１について、図面を参照して説明する。
本実施形態のプロジェクタ１は、第１実施形態の光源装置３１と構成が異なる光源装置３１を備える。
図７は、本実施形態の光源装置３１を示す側面図である。
図７に示すように、本実施形態の光源装置３１は、第１実施形態の入力端子３１３と構成の異なる入力端子１３０を備え、カバー３１４を備えていない。また、第１実施形態の光源用筐体３１５と上部の形状が異なる光源用筐体１３１５を備えている。
【００６２】
入力端子１３０は、２芯のプラグＣＰを有する１つのコネクタとして構成されており、プラグＣＰを囲む略直方体の箱状部材の一方の端部には、プラグＣＰの長手方向に対して略直交する方向に丸孔が設けられている。
光源用筐体１３１５は、上部に光束射出方向に沿う方向に中心軸を有する軸１３１６が設けられている。
入力端子１３０は、丸孔に軸１３１６が挿入されて略１８０°回動できるようになっており、回動されることによって、プラグＣＰの端部が露出している接続側１３０Ａの向きが変えられる。
【００６３】
光源装置３１は、光源収納部３４１に収納される場合と、光源収納部３４２に収納される場合とで接続側１３０Ａの向きが変えられて挿着される。
具体的には、光源収納部３４１に収納される場合には、光源装置３１は、光束の射出側が左方向（−Ｘ方向）を向き、入力端子１３０が回動されて接続側１３０Ａが前方を向く姿勢で開口部２１２から光源収納部３４１に挿着される。
光源収納部３４２に収納される場合には、光源装置３１は、光束の射出側が右方向（＋Ｘ方向）を向き、入力端子１３０が回動されて接続側１３０Ａが前方を向く姿勢で開口部２１３から光源収納部３４２に挿着される。そして、光源装置３１がそれぞれ挿着された際に、入力端子１３０は、光源収納部３４１，３４２に配置されている出力端子４１にそれぞれ接続される。
このように、入力端子１３０は、光源収納部３４１，３４２に配置されたそれぞれの出力端子４１に接続されるように移動することができる。
【００６４】
また、入力端子１３０および光源用筐体１３１５には、図示しない係合部がそれぞれ形成されており、入力端子１３０の向きが変更された際にその係合部が係合して入力端子１３０の位置がずれないようになっている。また、その係合部は、ユーザーの操作で容易に解除できるように形成されている。
【００６５】
以上説明したように、本実施形態のプロジェクタ１によれば、第１実施形態の効果（１）〜（４）および（７）に加えて、以下の効果を得ることができる。
入力端子１３０は、１つのコネクタとして構成され、光源収納部３４１，３４２に配置されたそれぞれの出力端子４１と接続されるように移動することができる。これによって、入力端子１３０は、少ない部材で構成することが可能となり、光源装置３１の軽量化や低コスト化を図ることが可能となる。
【００６６】
（第３実施形態）
次に、第３実施形態に係るプロジェクタ１について、図面を参照して説明する。
本実施形態のプロジェクタ１は、第１実施形態の光源装置３１と構成が異なる光源装置３１を備え、２つの出力端子のうち、一方の出力端子４１の配置される位置が異なる。
図８は、本実施形態のプロジェクタ１の後部を示す平面図である。
図８に示すように、本実施形態の光源装置３１は、第１実施形態の入力端子３１３と構成の異なる入力端子２３０を備え、カバー３１４を備えていない。
【００６７】
入力端子２３０は、２芯のプラグＣＰを有する１つのコネクタとして構成され、図８に示すように、光源収納部３４１に収納された際に、プラグＣＰの端部が露出している接続側２３０Ａが前方（＋Ｙ方向）を向くように光源装置３１に取付けられている。入力端子２３０は、光源装置３１が光源収納部３４２に収納された際には、接続側２３０Ａが後方（−Ｙ方向）を向く。
【００６８】
２つの出力端子４１は、一方が第１実施形態と同様に光源収納部３４１に配置され、他方が蓋部材２５の内側に配置されている。
蓋部材２５の内側に配置される出力端子４１は、蓋部材２５が開口部２１３を閉塞した際に、光源収納部３４２に収納された光源装置３１の入力端子２３０に接続されるように位置決め固定されている。
【００６９】
２つの光源装置３１は、第１実施形態と同様に、開口部２１２，２１３から光源収納部３４１，３４２にそれぞれ挿着される。光源収納部３４１に挿着される光源装置３１は、第１実施形態と同様に、挿着される際に入力端子２３０が出力端子４１に接続される。一方、光源収納部３４２に挿着される光源装置３１は、挿着された後、蓋部材２５が開口部２１３を閉塞することによって、入力端子２３０が蓋部材２５に配置された出力端子４１に接続される。そして、２つの光源装置３１は、電源装置４からの電力が供給可能な状態となる。
【００７０】
このように、２つの出力端子４１は、光源収納部３４１，３４２に収納される光源装置３１の入力端子２３０の位置に対応して、光源収納部３４１および蓋部材２５に配置される。そして、光源収納部３４１に配置される出力端子４１は、光源装置３１が光源収納部３４１に挿着される際に、入力端子２３０に接続され、蓋部材２５に配置される出力端子４１は、蓋部材２５が開口部２１３を閉塞した際に、入力端子２３０に接続される。
【００７１】
以上説明したように、本実施形態のプロジェクタ１によれば、第１実施形態の効果（１）〜（４）および（７）に加えて、以下の効果を得ることができる。
入力端子２３０は、１つのコネクタとして構成され、また、移動させたりする機構が不要なので、簡単な構成で形成されることができ、さらに光源装置３１の軽量化や低コスト化を図ることが可能となる。
また、出力端子４１が配置されない光源収納部３４２は、出力端子４１を配置するためのスペースを他の機能のためのスペース、例えば、光源装置３１を冷却するための空気流通路のスペース等に使用することができるので、光源装置３１を効率的に冷却すること等が可能となる。
【００７２】
（第４実施形態）
次に、第４実施形態に係るプロジェクタ１について、図面を参照して説明する。
本実施形態のプロジェクタ１は、第３実施形態に対して、光源収納部３４２に配置される光源装置３１の入力端子２３０に接続される出力端子４１の位置、および蓋部材２５に構成部材を取付けた蓋ユニット２５０を備えていることが異なる。
図９は、本実施形態のプロジェクタ１の後部を示す平面図である。
図９に示すように、蓋ユニット２５０は、蓋部材２５と、コネクタ２５１，２５２と、ケーブルＣＡ１とを備える。
【００７３】
２つの出力端子４１は、一方が第３実施形態と同様に光源収納部３４１に配置され、他方が光源収納部３４２の近傍、光学部品用筐体３４の左側端部に配置されている。
【００７４】
コネクタ２５１は、蓋部材２５の内側に取付けられ、蓋部材２５が開口部２１３を閉塞した際に、光学部品用筐体３４の左側端部に配置された出力端子４１に接続されるようになっている。
コネクタ２５２は、蓋部材２５の内側に取付けられ、蓋部材２５が開口部２１３を閉塞した際に、光源収納部３４２に収納された光源装置３１の入力端子２３０に接続されるようになっている。
コネクタ２５１とコネクタ２５２とは、ケーブルＣＡ１を介して接続されている。
【００７５】
２つの光源装置３１は、第１実施形態と同様に、開口部２１２，２１３から光源収納部３４１，３４２にそれぞれ挿着される。光源収納部３４１に挿着される光源装置３１は、第１実施形態と同様に、挿着される際に入力端子２３０が出力端子４１に接続される。一方、光源収納部３４２に挿着される光源装置３１は、挿着された後、蓋部材２５が開口部２１３を閉塞することによって、入力端子２３０がコネクタ２５２に接続され、出力端子４１がコネクタ２５１に接続される。そして、２つの光源装置３１は、電源装置４からの電力が供給可能な状態となる。
【００７６】
以上説明したように、本実施形態のプロジェクタ１によれば、第３実施形態の効果に加えて、以下の効果を得ることができる。
蓋部材２５が開口部２１３から取り外された際に、ケーブルＣＡが飛び出さないので、ケーブルＣＡの処理が不要となり、光源装置３１を着脱する操作が容易になる。
【００７７】
（変形例）
なお、前記実施形態は、以下のように変更してもよい。
前記実施形態では、光学ユニット３は、２つの光源装置３１が後面２１Ｃの内側に配置されるように構成されているが、２つの光源装置３１を側面２１Ｄあるいは側面２１Ｅの内側に配置するように構成し、その光源装置３１の位置に対応して、開口部２１２，２１３を側面２１Ｄあるいは側面２１Ｅに設けてもよい。
【００７８】
前記実施形態では、光源装置３１は、２つで構成されているが、３つ以上で構成してもよい。
【００７９】
前記実施形態では、２つの光源装置３１は、光軸Ｌ１，Ｌ２が左右方向（±Ｘ方向）に沿うように対向しているが、２つの光源装置３１を光軸Ｌ１，Ｌ２が左右方向（±Ｘ方向）に対して傾斜するように対向させて配置してもよい。
また、前記実施形態では、開口部２１２，２１３は、それぞれの光源収納部３４１，３４２から光束射出方向に対して略直交する方向に向かって開口しているが、光束射出方向に対して交差する方向に開口していればよい。
【００８０】
第１実施形態のカバー３１４は、上下方向に移動するように構成されているが、回動するように移動してもよい。また、カバー３１４は、一方の入力端子を露出する移動と、他方の入力端子を被装する移動とが略同期して移動するように構成してもよい。また、カバー３１４は、光源装置３１以外、例えば、光学部品用筐体３４や外装筐体２に設けてもよい。
【００８１】
第１実施形態のカバー３１４は、個別部品としてユーザーが着脱するように構成してもよい。
【００８２】
第２実施形態の入力端子１３０は、光束射出方向に沿う方向を中心軸にして回動され、光源収納部３４１，３４２にそれぞれ配置されている出力端子４１に接続されるが、他の方向への回動やスライド、あるいはそれらを組み合わせることによって移動させてそれぞれの出力端子４１に接続するように構成してもよい。
【００８３】
前記実施形態のプロジェクタ１は、光変調装置として透過型の液晶パネル３３４２を用いているが、反射型の液晶パネルを利用したものであってもよい。また、光変調装置は、マイクロミラーアレイを用いたデバイス等を使用したものであってもよい。
【図面の簡単な説明】
【００８４】
【図１】本実施形態のプロジェクタを前方上側から見た斜視図。
【図２】本実施形態のプロジェクタを後方上側から見た斜視図。
【図３】第１実施形態のプロジェクタの内部構成を示す模式図。
【図４】第１実施形態の光源装置を示す断面図。
【図５】第１実施形態の光源装置を示す断面図。
【図６】プロジェクタの後部を示す断面図。
【図７】第２実施形態の光源装置を示す側面図。
【図８】第３実施形態のプロジェクタの後部を示す平面図。
【図９】第４実施形態のプロジェクタの後部を示す平面図。
【符号の説明】
【００８５】
１…プロジェクタ、２…外装筐体、３…光学ユニット、４…電源装置、２４，２５…蓋部材、３１…光源装置、３３…画像投写部、４１…出力端子、１３０，２３０，３１３…入力端子、２１２，２１３…開口部、３１１…光源、３１４…カバー、３４１，３４２…光源収納部、３１３１…第１入力端子、３１３２…第２入力端子、３１４１…第１カバー、３１４２…第２カバー、３１５１…把持部、３３４２，３３４２Ｒ…液晶パネル。
【図１】
2010019954.tif 000003
【図２】
2010019954.tif 000004
【図３】
2010019954.tif 000005
【図４】
2010019954.tif 000006
【図５】
2010019954.tif 000007
【図６】
2010019954.tif 000008
【図７】
2010019954.tif 000009
【図８】
2010019954.tif 000010
【図９】
2010019954.tif 000011